(57)【要約】【課題】ＥＶＦを用いていてもタッチパネル操作を容易に行える撮像装置を提供する。【解決手段】ユーザが接眼表示部３１を覗く接眼状態でデジタルカメラ１を構えているとき、撮像部２９は被写体の画像を取得し、信号処理部１１ａはライブビュー画像を作成し、その画像を表示制御部１１ｂは接眼表示部３１に表示させ、仮記憶画像制御部１１ｃは、第２の記憶部１４ｂに記憶させる。切換制御部１１ｄが接眼センサ３３の出力に基づいて非接眼状態になったと判定したとき、表示制御部１１ｂは、第２の記憶部１４ｂに記憶されている直前の画像を、表示部１８ａに表示させる。表示画像についてタッチパネル１８ｂを介して画像処理の入力がなされたことをタッチ判定部１１ｅが判定し、その後、切換制御部１１ｄが接眼表示部３１が接眼状態になったと判定したとき、撮影制御部１１ｇは、入力に応じた処理を画像に施し、処理後の画像を接眼表示部３１に表示させる。【選択図】図１
2014011729.tif 000002
【特許請求の範囲】
【請求項１】
被写体画像を取得する撮像部と、
前記被写体画像を表示する接眼表示部と、
前記被写体画像を表示する表示パネルと、
前記表示パネルに設けられ、触れられた位置の情報を出力するタッチパネルと、
前記接眼表示部に前記被写体画像のライブビュー画像である第１の画像を表示させる第１の状態と、前記表示パネルに過去の前記被写体画像である第２の画像を表示させる第２の状態との切換時期を取得する切換時期取得部と、
前記切換時期に基づいて前記第１の状態と前記第２の状態とを切換える切換制御部と、
前記第２の状態における前記タッチパネルの出力に基づいて、前記第１の状態における前記第１の画像に処理を施す撮影制御部と、
を具備する撮像装置。
【請求項２】
前記第２の状態において、前記タッチパネルの出力に基づいて前記第２の画像における指定領域を取得する領域取得部と、
前記第１の画像における前記指定領域に対応する領域を特定する対応特定部と、
をさらに具備し、
前記撮影制御部は、前記対応する領域が特定されたとき、前記指定領域に対して前記処理を施す、
請求項１に記載の撮像装置。
【請求項３】
前記対応特定部は、前記接眼表示部に前記第１の画像と半透明化された前記第２の画像とを表示させる請求項２に記載の撮像装置。
【請求項４】
前記切換時期取得部は、前記接眼表示部が観察されている接眼状態と観察されていない非接眼状態との差異を感知する接眼センサであり、
前記切換制御部は、前記接眼状態のときを前記第１の状態とし、前記非接眼状態のときを前記第２の状態とする、
請求項１乃至３のうち何れか１項に記載の撮像装置。
【請求項５】
前記切換時期取得部は、スイッチであり、
前記切換制御部は、前記スイッチがオンにされたとき前記第１の状態から前記第２の状態に切換える、
請求項１乃至３のうち何れか１項に記載の撮像装置。
【請求項６】
前記撮影制御部が行う処理は、動体追尾、Ｈｉｇｈ  Ｄｙｎａｍｉｃ  Ｒａｎｇｅ処理、ズームの変更、露出の変更、ホワイトバランスの変更、及びアートフィルタの変更のうち、少なくとも何れか１つの処理である、請求項１乃至５のうち何れか１項に記載の撮像装置。
【発明の詳細な説明】
【技術分野】
【０００１】
本発明は、撮像装置に関する。
【背景技術】
【０００２】
一般に、背面表示部とタッチパネルとを備えた撮像装置が知られている。タッチパネルは、撮像に関する種々の入力を受け付ける。例えば特許文献１には、動画撮影を行っているときに、タッチパネルがタッチされると静止画を取得する撮像装置に係る技術が開示されている。
【０００３】
また、一般に、覗き込むようにして画像を確認するための接眼表示部としての電子ビューファインダ（Ｅｌｅｃｔｒｏｎｉｃ  Ｖｉｅｗ  Ｆｉｎｄｅｒ；ＥＶＦ）が知られている。ＥＶＦによる表示は、外光の影響を受けにくいため視認性がよく、またＥＶＦで画像を確認しながらの撮影は、撮像装置を構えやすい。したがって、ＥＶＦの使用は好まれる。
【先行技術文献】
【特許文献】
【０００４】
【特許文献１】特開２００５−１９８０６８号公報
【発明の概要】
【発明が解決しようとする課題】
【０００５】
ＥＶＦを覗きながら、タッチパネルを用いた操作を行うことは困難である。一方で、ＥＶＦでライブビュー画像を確認しているときに、タッチパネルを操作するためにＥＶＦから眼を離すと、一般に撮像装置の向きが変化してライブビュー画像が変化してしまう。
【０００６】
そこで本発明は、ＥＶＦを用いていてもタッチパネルを用いた操作を容易に行える撮像装置を提供することを目的とする。
【課題を解決するための手段】
【０００７】
前記目的を果たすため、本発明の一態様によれば、撮像装置は、被写体画像を取得する撮像部と、前記被写体画像を表示する接眼表示部と、前記被写体画像を表示する表示パネルと、前記表示パネルに設けられ、触れられた位置の情報を出力するタッチパネルと、前記接眼表示部に前記被写体画像のライブビュー画像である第１の画像を表示させる第１の状態と、前記表示パネルに過去の前記被写体画像である第２の画像を表示させる第２の状態との切換時期を取得する切換時期取得部と、前記切換時期に基づいて前記第１の状態と前記第２の状態とを切換える切換制御部と、前記第２の状態における前記タッチパネルの出力に基づいて、前記第１の状態における前記第１の画像に処理を施す撮影制御部と、を具備する。
【発明の効果】
【０００８】
本発明によれば、ＥＶＦを用いていてもタッチパネルを用いた操作を容易に行える撮像装置を提供できる。
【図面の簡単な説明】
【０００９】
【図１】第１の実施形態に係るデジタルカメラの構成例を示すブロック図。
【図２】第１の実施形態に係るカメラ制御処理の一例を示すフローチャート。
【図３】第１の実施形態に係る撮影制御処理の一例を示すフローチャート。
【図４】ＨＤＲ処理を説明するための図。
【図５】第１の実施形態に係るデジタルカメラの動作の一例を説明するための図。
【図６】第１の実施形態に係るデジタルカメラのＨＤＲ処理の動作の一例を説明するための図。
【図７】第１の実施形態に係るデジタルカメラのズーム動作の一例を説明するための図。
【図８】第１の実施形態に係るデジタルカメラの動体追尾処理の動作の一例を説明するための図。
【図９】第２の実施形態に係るカメラ制御処理の一例を示すフローチャート。
【発明を実施するための形態】
【００１０】
［第１の実施形態］
本発明の第１の実施形態について図面を参照して説明する。本実施形態に係る撮像装置としてのデジタルカメラ１の概略を図１に示す。デジタルカメラ１は、例えば、レンズ交換式のカメラである。ただし、レンズ交換式に限る必要はなく、レンズが固定されたカメラにも本発明の技術を適用することができる。
【００１１】
レンズ交換式のデジタルカメラ１は、カメラ本体１０と、レンズ２０と、ファインダ部３０とを有する。ユーザは、カメラ本体１０に好みのレンズ２０を取り付けて撮影を行う。レンズ２０は、被写体像を後述するカメラ本体１０に設けられた撮像素子１２に導く。ここでは、レンズ２０は、ズームレンズであるものとして説明を行う。レンズ２０は、レンズ光学系２６を有する。レンズ光学系２６には、ズーム部２６ａと、ピント部２６ｂと、絞り部２６ｃとが設けられている。ズーム部２６ａは、複数のレンズ要素の位置を移動させてズーム機能を実現する。ピント部２６ｂは、ピント合わせ用レンズを移動させて、被写体像を撮像素子１２に合焦させる。絞り部２６ｃは、絞りの開閉動作をすることで、撮像素子１２に導かれる光の量を調整する。
【００１２】
レンズ２０は、ズーム部２６ａ、ピント部２６ｂ、絞り部２６ｃ等の動作を制御する制御部２１を有する。また、レンズ２０は、ズーム部２６ａ内の各要素の位置を検出する位置検出部２５ａと、ピント部２６ｂ内の各要素の位置を検出する位置検出部２５ｂと、絞り部２６ｃ内の各要素の位置を検出する位置検出部２５ｃとを有する。また、レンズ２０は、ズーム部２６ａ内のモータ等を駆動する駆動部２４ａと、ピント部２６ｂ内のモータ等を駆動する駆動部２４ｂと、絞り部２６ｃ内のモータ等を駆動する駆動部２４ｃとを有する。また、レンズ２０は、レンズ特性や制御データやプログラムを記録している記憶部２７と、カメラ本体１０と通信するための本体通信部２２とを有する。
【００１３】
制御部２１は、記憶部２７に記録された制御データやプログラム、本体通信部２２を介して取得された各種制御パラメータに基づき、位置検出部２５ａの出力を利用して、駆動部２４ａを動作させ、ズーム部２６ａを駆動する。また、制御部２１は、記憶部２７に記録された制御データやプログラム、本体通信部２２を介して取得された各種制御パラメータに基づき、位置検出部２５ｂの出力を利用して、駆動部２４ｂを動作させ、ピント部２６ｂを駆動する。また、制御部２１は、記憶部２７に記録された制御データやプログラム、本体通信部２２を介して取得された各種制御パラメータに基づき、位置検出部２５ｃの出力を利用して、駆動部２４ｃを動作させ、絞り部２６ｃを駆動する。
【００１４】
また、レンズ２０は、操作部２３ａ及び操作部２３ｂを有する。操作部２３ａ及び操作部２３ｂは、ズーム部２６ａ、ピント部２６ｂ、絞り部２６ｃ等の動作を入力するための操作部である。ユーザは、操作部２３ａ及び操作部２３ｂを操作することで、ズーム部２６ａ、ピント部２６ｂ、絞り部２６ｃ等の動作を調整することができる。例えば操作部２３ａ及び操作部２３ｂは、鏡筒に沿って回動するリング部を有している。リング部は、後述するようにシフト操作も可能であり、例えば、回転動作が操作部２３ａの入力に対応し、シフト動作が操作部２３ｂの入力に対応する。なお、操作部２３ａ及び操作部２３ｂは、操作スイッチなどでもよい。
【００１５】
例えばズームリングである操作部２３ａは、ズーム部２６ａとギアやカムを用いて機械的には連携していない。本実施形態のレンズ２０では、操作部２３ａの操作に応じて、例えば小型アクチュエータやメカトロニクス技術を用いた駆動部２４ａの機構によって、ズーム部２６ａが駆動される。
【００１６】
一方、カメラ本体１０は、各種信号を処理し、カメラ本体１０の各部を制御する信号処理制御部１１を有する。信号処理制御部１１は、例えば集積回路で構成される。この信号処理制御部１１には、後述するように例えば画像の表示や記録に必要な画像処理が可能な信号処理部１１ａが設けられている。
【００１７】
カメラ本体１０は、撮像素子１２を有する。撮像素子１２は、撮像動作をする。すなわち、撮像素子１２は、レンズ２０から入射した被写体像を電気信号に変換し、画像信号を生成する。撮像素子１２は、生成した画像信号を信号処理制御部１１に出力する。レンズ光学系２６と撮像素子１２とによって、撮像部２９として機能する部位を形成する。
【００１８】
カメラ本体１０は、例えばその背面に画像を表示するための背面パネルとしての表示部１８ａを有する。表示部１８ａは、例えば液晶表示パネルを有している。表示部１８ａは、有機ＥＬパネル等、他の表示パネルを有していてもよい。また、カメラ本体１０は、電子ビューファインダ（Ｅｌｅｃｔｒｏｎｉｃ  Ｖｉｅｗ  Ｆｉｎｄｅｒ；ＥＶＦ）等のファインダ部３０が取り付けられるように構成されている。すなわち、ファインダ部３０は、接眼表示部３１と、本体通信部３２と、接眼センサ３３とを有している。一方、カメラ本体１０は、ファインダ通信部１５ｂを有している。ファインダ部３０の本体通信部３２とカメラ本体１０のファインダ通信部１５ｂとは、接続されて通信を行う。接眼表示部３１は、小型の液晶パネル又は有機ＥＬパネル等を有している。ファインダ部３０は、表示画像を専用の光学系で拡大してユーザに目視可能にさせるものである。接眼センサ３３は、接眼表示部３１がユーザによって覗かれているか否かに係る情報を信号処理制御部１１に出力する。表示部１８ａ及び接眼表示部３１は、信号処理制御部１１内の表示制御部１１ｂの制御下で動作する。
【００１９】
ファインダ部３０によれば、ユーザは、ファインダ部３０を覗き込む形で観察できるので、外光の影響を受けずに画像を観察できる。さらに、ファインダ部３０は、専用の光学系の調整によって、ユーザの視度に合わせた視度調整ができるように構成されている。この視度調整により、ユーザは、自身の視力に関わらず良好な画像の観察を行うことができる。以上のように、ファインダ部３０によれば、よい視認性が得られる。また、ファインダ部３０によれば、ユーザはカメラ本体１０を顔の近くに位置させることで、デジタルカメラ１を安定して構えることができる。
【００２０】
カメラ本体１０には、スイッチ等、ユーザの様々な操作による入力を受け取る操作部１６が設けられている。操作部１６には、シャッタースピード、絞り、露出補正、感度設定、ピント位置等の撮影パラメータの変更が入力されるスイッチやダイヤルや十字キー等が設けられている。
【００２１】
カメラ本体１０には、ユーザの右手の人差し指が配置される位置にレリーズ操作部１９が設けられている。ユーザは、このレリーズ操作部１９を操作することで、デジタルカメラ１に撮影動作を行わせることができる。レリーズ操作部１９は、２段式のスイッチになっており、例えば１段目のスイッチがオンになるとオートフォーカスを行い、２段目のスイッチがオンになると撮像動作を行う等の動作が設定されている。
【００２２】
カメラ本体１０は、タッチパネル１８ｂを有する。このタッチパネル１８ｂは、例えば表示部１８ａ上に設けられている。タッチパネル１８ｂもユーザの指示の入力を受け取る。ユーザは、例えば表示部１８ａに表示されたアイコンに対応する位置を触れることにより、デジタルカメラ１の操作を行うことができる。例えばタッチパネル１８ｂは、注目被写体の入力や、ズーム動作の入力や、露光の調整の入力に用いられる。ユーザによってタッチされたことによりタッチパネル１８ｂが発生する信号は、信号処理制御部１１内のタッチ判定部１１ｅに出力され、その信号はまずタッチ判定部１１ｅで処理される。
【００２３】
カメラ本体１０は、第１の記憶部１４ａと第２の記憶部１４ｂとを有する。第１の記憶部１４ａは、例えばＲＯＭであり、例えば信号処理制御部１１による制御に用いるプログラム等を記憶している。また、第２の記憶部１４ｂは、例えばＲＡＭであり、例えば信号処理制御部１１による処理結果を一時的に記憶する。また、第２の記憶部１４ｂは、ファインダ部３０が覗かれている際のライブビュー画像を所定の期間だけ仮記憶する。さらに、カメラ本体１０には、撮影して生成された画像データを記録するための記録部１７が設けられている。この記録部１７は、一般的な記録媒体として、カメラ本体１０に対して取り外し可能に接続されている。また、カメラ本体１０は、撮像素子１２が取得した画像信号に基づいて、被写体の特徴を検出する特徴判定部１３を有する。また、カメラ本体１０は、レンズ２０の本体通信部２２と通信するためのレンズ通信部１５ａを有する。カメラ本体１０からレンズ２０へのレンズ２０の動作の指示や、レンズ２０からカメラ本体１０へのレンズ２０の状態に係る情報の転送等は、レンズ通信部１５ａと本体通信部２２とを介して行われる。また、カメラ本体１０は、撮影した画像に撮影日時のデータを付加する等のため、時計１１ｈを有する。
【００２４】
信号処理制御部１１は、第１の記憶部１４ａに記憶されたプログラムに従って動作する。信号処理制御部１１には、信号処理部１１ａ、表示制御部１１ｂ、仮記憶画像制御部１１ｃ、切換制御部１１ｄ、タッチ判定部１１ｅ、対応特定部１１ｆ及び撮影制御部１１ｇが設けられている。信号処理制御部１１内の信号処理部１１ａは、ユーザが表示部１８ａや接眼表示部３１を見ながら撮影できるように、撮像素子１２から入力された画像信号に基づいてプレビュー画像を作成する。また、信号処理部１１ａは、例えば操作部１６からの入力に応じて、撮影時には撮像素子１２から入力された画像信号に基づいて記録画像を作成し、この記録画像を記録部１７に記録させる。
【００２５】
信号処理制御部１１内の表示制御部１１ｂは、信号処理部１１ａが作成したプレビュー画像やその他の画像を、表示部１８ａや接眼表示部３１に表示させる。信号処理制御部１１内の仮記憶画像制御部１１ｃは、プレビュー画像を第２の記憶部１４ｂに一時的に記憶させ、表示部１８ａに表示させられるように、要求に応じて過去のプレビュー画像を第２の記憶部１４ｂから出力させる。
【００２６】
信号処理制御部１１内の切換制御部１１ｄは、接眼センサ３３から取得した信号に基づいて、接眼表示部３１がユーザに覗かれている状態であるか否かを判定する。接眼表示部３１が覗かれている状態のとき、切換制御部１１ｄは、表示制御部１１ｂにプレビュー画像やその他の画像を接眼表示部３１に表示させるように指令する。一方、接眼表示部３１が覗かれていない状態で、所定の条件を満たすとき、切換制御部１１ｄは、仮記憶画像制御部１１ｃによって出力された過去のプレビュー画像を表示部１８ａに表示させるように、表示制御部１１ｂに指令する。
【００２７】
信号処理制御部１１内のタッチ判定部１１ｅは、タッチパネル１８ｂから信号を取得して、タッチパネル１８ｂを介したユーザの指示を取得する。タッチ判定部１１ｅは、例えば表示部１８ａに過去のプレビュー画像が表示されているときにタッチされた領域を取得する。信号処理制御部１１内の対応特定部１１ｆは、表示部１８ａに過去のプレビュー画像が表示された後、切換制御部１１ｄによって接眼表示部３１が覗かれている状態であると判定されているときに、表示制御部１１ｂと連携して接眼表示部３１に現在のプレビュー画像と半透明化処理した過去のプレビュー画像とを表示させる。ユーザは、半透明化された過去のプレビュー画像に、現在のプレビュー画像を重ね合わせるようにすることで、過去のプレビュー画像と現在のプレビュー画像とを一致させることができる。対応特定部１１ｆは、過去のプレビュー画像と、現在のプレビュー画像との対応関係を取得する。
【００２８】
信号処理制御部１１内の撮影制御部１１ｇは、例えば以下の処理を行う。撮影制御部１１ｇは、タッチ判定部１１ｅによって取得された過去のプレビュー画像が表示されているときにタッチされた領域を取得する。また、撮影制御部１１ｇは、対応特定部１１ｆによって対応関係が取得されたか否かを判定する。対応関係が取得されているとき、撮影制御部１１ｇは、上記のタッチされた領域について種々の機能が発揮される撮影の制御を行う。この機能には、例えば動体追尾機能や、ＨＤＲ（Ｈｉｇｈ  Ｄｙｎａｍｉｃ  Ｒａｎｇｅ）機能や、ズーム機能が含まれ得る。
【００２９】
本実施形態に係るデジタルカメラ１の動作を説明する。本実施形態に係る信号処理制御部１１による処理を図２に示されるフローチャートを参照して説明する。ステップＳ１０１において信号処理制御部１１は、撮影モードであるか否かを判定する。撮影モードでないと判定されたとき、処理はステップＳ１４１に進む。ステップＳ１０１において撮影モードであると判定されたとき、処理はステップＳ１０２に進む。
【００３０】
ステップＳ１０２において信号処理制御部１１は、レンズ交換がされたか否かを判定する。レンズ交換がされたと判定されたとき、処理はステップＳ１０３に進む。ステップＳ１０３において信号処理制御部１１は、レンズ通信を行い、レンズ種別を取得する。その後、処理はステップＳ１０４に進む。ステップＳ１０２においてレンズ交換がされていないと判定されたとき、処理はステップＳ１０４に進む。
【００３１】
ステップＳ１０４において信号処理制御部１１は、定期的なレンズとの通信を行い、撮像動作を開始する。ステップＳ１０５において信号処理制御部１１は、タッチ直後の接眼状態か否かを判定する。ここで、タッチ直後の接眼状態とは、例えばタッチパネル１８ｂがタッチされた後、３秒以内に、ファインダ部３０が覗かれている接眼状態となった場合をいう。３秒というのは一例であり、任意の期間でよい。接眼状態か否かは接眼センサ３３の出力に基づいて判定される。タッチ直後の接眼状態であると判定されたとき、処理はステップＳ１２１に進む。タッチ直後の接眼状態でないと判定されたとき、処理はステップＳ１０６に進む。
【００３２】
ステップＳ１０６において信号処理制御部１１は、接眼状態であるか否かを判定する。すなわち、接眼センサ３３の出力に基づいて接眼状態であるか否かを判定する。接眼状態であると判定されたとき、処理はステップＳ１０７に進む。ステップＳ１０７において信号処理制御部１１は、接眼表示部３１にライブビュー画像を表示をさせる。ステップＳ１０８において信号処理制御部１１は、ライブビュー表示させている画像を所定のコマ数だけ第２の記憶部１４ｂに仮記憶させる。その後、処理はステップＳ１３１に進む。
【００３３】
ステップＳ１０６において接眼状態でないと判定されたとき、処理はステップＳ１１１に進む。ステップＳ１１１において信号処理制御部１１は、接眼一致フラグＦ１に０を入力する。ここで、接眼一致フラグＦ１は、接眼状態であり、かつ後述の仮記録画像とライブビュー画像とが一致しているときに１が入力される変数である。ステップＳ１１２において信号処理制御部１１は、接眼状態でなくなってから所定期間が経過し、かつその所定期間においてタッチパネル１８ｂが操作されていないか否かを判定する。この所定時間は例えば２秒に設定される。所定期間操作なく経過したと判定されたとき、処理はステップＳ１１３に進む。ステップＳ１１３において信号処理制御部１１は、デジタルカメラ１の背面に設けられた表示部１８ａにライブビュー画像を表示をさせる。その後処理はステップＳ１１６に進む。
【００３４】
ステップＳ１１２において所定期間経過していないか操作が行われたと判定されたとき、すなわち、例えばタッチパネル１８ｂがタッチされたとき、処理はステップＳ１１４に進む。ステップＳ１１４において信号処理制御部１１は、第２の記憶部１４ｂに仮記憶されている画像を表示部１８ａに表示させる。また、信号処理制御部１１は、モードを表すアイコン等の表示を表示部１８ａに表示させる。ステップＳ１１５において信号処理制御部１１は、タッチパネル１８ｂがタッチされたか否かを判定する。タッチされていないと判定されたとき、処理はステップＳ１３１に進む。一方、タッチされたと判定されたとき、処理はステップＳ１１６に進む。
【００３５】
ステップＳ１１６において信号処理制御部１１は、タッチパネル１８ｂがタッチされた位置を取得する。信号処理制御部１１は、表示部１８ａに表示された画像のうち、タッチされた位置に対応する特徴を特徴判定部１３に検出させる。また、信号処理制御部１１は、処理に係るモードを判定する。信号処理制御部１１は、特徴やモードを記録させる。その後、処理はステップＳ１３１に進む。
【００３６】
ステップＳ１０５の判定においてタッチ直後の接眼状態であると判定されたとき、処理はステップＳ１２１に進む。ステップＳ１２１において信号処理制御部１１は、接眼表示部３１にライブビュー画像を表示させる。ステップＳ１２２において信号処理制御部１１は、ライブビュー画像に重畳させて第２の記憶部１４ｂに仮記憶されている画像を接眼表示部３１に半透明表示させる。ユーザは、半透明表示された画像と現在のライブビュー画像とを重ね合わせるように構図を決めることで、接眼表示部３１から眼を離す前の構図を再現することができる。ステップＳ１２３において信号処理制御部１１は、第２の記憶部１４ｂに仮記憶されている画像の特徴部を、ライブビュー画像内で検索する。
【００３７】
ステップＳ１２４において信号処理制御部１１は、仮記憶されている画像とライブビュー画像とで特徴部が一致しているか否かを判定する。特徴部が一致していると判定されたとき、処理はステップＳ１２５に進む。ここで、特徴部の一致は厳密な一致でなくてもよく、被写体の対応関係が得られていれば一致していると判定してよい。ステップＳ１２５において信号処理制御部１１は、接眼表示部３１にＯＫ表示をさせる。ステップＳ１２６において信号処理制御部１１は、接眼一致フラグＦ１に１を入力する。その後、処理はステップＳ１３１に進む。
【００３８】
ステップＳ１２４において特徴が一致していないと判定されたとき、処理はステップＳ１２７に進む。ステップＳ１２７において信号処理制御部１１は、接眼表示部３１にＮＧ表示をさせる。ステップＳ１２８において信号処理制御部１１は、接眼一致フラグＦ１に０を入力する。その後、処理はステップＳ１３１に進む。
【００３９】
ステップＳ１３１において信号処理制御部１１は、撮影制御処理を実行する。撮影制御処理では、ステップＳ１１６で取得されたモードやタッチ位置に応じて、種々の機能が実現される。この機能には、例えば動体追尾機能や、ＨＤＲ（Ｈｉｇｈ  Ｄｙｎａｍｉｃ  Ｒａｎｇｅ）機能や、ズーム機能が含まれ得る。接眼一致フラグＦ１が１のとき、動体追尾やＨＤＲ処理等が行われるが、接眼一致フラグＦ１が０のとき、動体追尾の対象や、ＨＤＲ処理で露出が補正される領域が不明となるので、処理は行われない。
【００４０】
また、ユーザによって、モードが直接選択されなくても、以下のようにタッチパネル１８ｂで検出されたタッチの態様に応じてモードが選択され処理が行われるようにしてもよい。撮影制御処理の一例について図３に示されるフローチャートを参照して説明する。ステップＳ２０１において信号処理制御部１１は、接眼一致フラグＦ１が１であるか否かを判定する。すなわち、接眼状態であり、かつ接眼表示部３１に表示された仮記憶された画像とライブビュー画像とが一致している又は対応関係が得られているか否かが判定される。Ｆ１＝１と判定されたとき、処理はステップＳ２０２に進む。Ｆ１＝０と判定されたとき、処理はステップＳ１３１に戻る。
【００４１】
ステップＳ２０２において信号処理制御部１１は、タッチパネル１８ｂがタッチされた点は１点であるか否かを判定する。１点であると判定されたとき処理はステップＳ２０３に進む。ステップＳ２０３において信号処理制御部１１は、接眼表示部３１にライブビュー画像を表示させ、タッチされた領域に対応する被写体の周りに追尾枠を表示させる。ステップＳ２０４において信号処理制御部１１は、タッチされた領域にある被写体を追尾する動体追尾処理を行う。その後処理はステップＳ１３１に戻る。
【００４２】
ステップＳ２０２において１点でないと判定されたとき、処理はステップＳ２０５に進む。ステップＳ２０５において信号処理制御部１１は、タッチパネル１８ｂがタッチされた点は、２点であり、２点間の距離が長くなるように動かされたか否かを判定する。長くなるように動かされたと判定されたとき、処理はステップＳ２０６に進む。ステップＳ２０６において信号処理制御部１１は、光学ズーム処理又は電子ズーム処理を行う。すなわち、信号処理制御部１１は、タッチされた２点間の距離の変化量に応じて、例えばズーム部２６ａをズームアップの方向に駆動するように駆動部２４ａに指令を出力する。あるいは、信号処理制御部１１は、タッチされた２点間の距離の変化量に応じて、画像を電子ズームアップするような画像処理を行う。その後処理はステップＳ１３１に戻る。
【００４３】
ステップＳ２０５において２点間の距離が長くなるように動かされていないと判定されたとき、処理はステップＳ２０７に進む。ステップＳ２０７において信号処理制御部１１は、タッチパネル１８ｂがタッチされた点は多点であるか否かを判定する。タッチが多点でないと判定されたとき、処理はステップＳ１３１に戻る。ステップＳ２０７において多点であると判定されたとき、処理はステップＳ２０８に進む。ステップＳ２０８において信号処理制御部１１は、接眼表示部３１にライブビュー画像を表示させ、タッチされた領域にある被写体の周りに画像処理枠を表示させる。ステップＳ２０９において信号処理制御部１１は、タッチされて選択された領域に係るＨＤＲ処理を行う。すなわち、露光条件を変更しながら連続して複数の画像を取得して、例えば選択された領域とそれ以外の領域とで露光条件が異なる画像を合成して、画像全体において適切な露光となった画像を作成する。その後処理はステップＳ１３１に戻る。
【００４４】
ＨＤＲ処理について図４を参照して説明する。同一被写体について異なる露光条件で撮影された４枚の画像の模式図を図４（ａ）乃至（ｄ）に示す。ここで、図４（ａ）から（ｄ）まで順に露光量がオーバーからアンダーになっている。例えば図４（ｅ）では、枠１０１と枠１０２との部分がタッチされたとする。このとき、タッチされた部分が適正露出となるように、例えば枠１０１部分については図４（ｂ）に示される画像が用いられ、例えば枠１０２部分については図４（ｃ）に示される画像が用いられて、図４（ｅ）に示されるような合成画像が作成される。同様に、例えば図４（ｆ）では、枠１０３と枠１０４との部分がタッチされたとする。このとき、タッチされた部分が適正露出となるように、例えば枠１０３部分については図４（ａ）に示される画像が用いられ、例えば枠１０４部分については図４（ｃ）に示される画像が用いられて、図４（ｆ）に示されるような合成画像が作成される。このように、ＨＤＲ処理では、例えばタッチされた部位に枠を表示させ、タッチされた部分の露出が適正となるように、合成画像が作成される。
【００４５】
図２に戻って説明を続ける。ステップＳ１３２において信号処理制御部１１は、撮影操作が行われたか否かを判定する。すなわち、信号処理制御部１１は、例えばレリーズ操作部１９のボタンが押されたか否かを判定する。撮影操作が行われていないと判定されたとき、処理はステップＳ１０１に戻る。撮影操作が行われていると判定されたとき、処理はステップＳ１３３に進む。ステップＳ１３３において信号処理制御部１１は、撮影動作を行う。すなわち、撮像素子で撮像された画像を記録部１７に記録させる。
【００４６】
ステップＳ１０１において撮影モードでないと判定されたとき、処理はステップＳ１４１に進む。ステップＳ１４１において信号処理制御部１１は、再生モードであるか否かを判定する。再生モードであると判定されたとき、処理はステップＳ１４２に進む。ステップＳ１４２において信号処理制御部１１は、画像を再生し、表示部１８ａに画像を表示させる。ステップＳ１４３において信号処理制御部１１は、画像の変更が選択されたか否かを判定する。変更が選択されたと判定されたとき、処理はステップＳ１４４に進む。ステップＳ１４４において信号処理制御部１１は、表示画像を変更し他の画像を表示部１８ａに表示させる。その後、処理はステップＳ１０１に戻る。ステップＳ１４３において変更が選択されていないと判定されたとき処理はステップＳ１０１に戻る。ステップＳ１４１において再生モードが選択されていないと判定されたとき、処理はステップＳ１４５に進む。ステップＳ１４５において信号処理制御部１１は、他の端末等と通信を行う。その後処理はステップＳ１０１に戻る。
【００４７】
なお、上記で説明した処理の順序は一例であり、処理可能な範囲で順序は適宜変更されてもよい。
【００４８】
本実施形態によれば、図５（ａ）に示されるように接眼表示部３１がユーザによって覗かれている接眼状態の後に、図５（ｂ）に示されるように、接眼状態でなく背面の表示部１８ａを観察している状態になると、所定の期間の間、ステップＳ１１４において、接眼状態でデジタルカメラ１が撮影していた画像であって第２の記憶部１４ｂに仮記憶されている画像が、デジタルカメラ１の背面に設けられた表示部１８ａに表示される。
【００４９】
続いてタッチパネル１８ｂがタッチされると、ステップＳ１１６やステップＳ１３１によって、タッチされた領域やタッチのされ方に応じて種々の処理が行われる。例えば図６（ａ）に示される例では、ＨＤＲモードが選択されている。この例では、画像内の夕日部分が選択され、選択された部分に枠１０５が表示されている。この選択の後、図６（ｂ）に示されるように再び接眼状態になると、接眼表示部３１には、ライブビュー画像上に仮記憶されている画像が半透明表示され、ライブビュー画像と仮記憶されている画像とが一致しているか否かが判断される。一致していると判断されたとき、接眼表示部３１には、図６（ｃ）に示されるように、ＨＤＲ処理された画像が表示される。ここで、例えばレンズ２０の操作部２３ａ又は操作部２３ｂが操作されたとき、その操作に応じて選択された夕日の色が変わるように調整されてもよい。
【００５０】
なお、ライブビュー画像と仮記憶されている画像とは、完全に一致していなくてもよい。例えば、青空が選択されているとき、空の同じ場所に対してＨＤＲ等の機能が果たされる必要はなく、青空の何れかの場所に対してＨＤＲ等の機能が果たされればよい。したがって、ステップＳ１２４における特徴部の一致は、必要な程度の一致でよい。
【００５１】
また、例えばタッチパネル１８ｂにおけるタッチされた点が２点であり、この２点間の距離が長くなるように動かされてズーム動作が選択された場合、図７に示すようになる。すなわち、図７（ａ）に示されるように、ユーザがファインダ部３０から眼を離すと、表示部１８ａに仮記録された画像が表示される。この表示画像上で、タッチパネル１８ｂ上の２点のタッチによって画像の領域が指定されると枠１０６が表示される。その後、図７（ｂ）に示されるように再び接眼状態になり、仮記録された画像とプレビュー画像とが一致すると、接眼表示部３１に表示される画像は、例えば電子ズームによって図７（ｃ）に示されるように、拡大されて表示される。電子ズームでなく、光学ズームが駆動されてもよい。また、ズーム動作の場合、仮記録された画像とプレビュー画像とが必ずしも一致する必要はないので、接眼状態になったら被写体の一致に関わらず、ズーム動作が行われるようにしてもよい。
【００５２】
また、例えばタッチパネル１８ｂにおけるタッチされた点が１点である場合、図８に示すようになる。すなわち、図８（ａ）に示されるように、表示部１８ａに仮記録された画像が表示される。この表示画像上で、タッチパネル１８ｂ上の１点のタッチによって画像の領域が指定されると枠１０７が表示される。その後、図８（ｂ）に示されるように再び接眼状態になり、仮記録された画像とプレビュー画像とが一致すると、接眼表示部３１に表示される画像は、枠１０７で示された被写体を追尾する。
【００５３】
このように、例えば撮像部２９は、被写体画像を取得する撮像部として機能する。例えば接眼表示部３１は、前記被写体画像を表示する接眼表示部として機能する。例えば表示部１８ａは、前記被写体画像を表示する表示パネルとして機能する。例えばタッチパネル１８ｂは、前記表示パネルに設けられ、触れられた位置の情報を出力するタッチパネルとして機能する。例えば接眼センサ３３は、前記接眼表示部に前記被写体画像のライブビュー画像である第１の画像を表示させる第１の状態と、前記表示パネルに過去の前記被写体画像である第２の画像を表示させる第２の状態との切換時期を取得する切換時期取得部として機能する。例えば切換制御部１１ｄは、前記切換時期に基づいて前記第１の状態と前記第２の状態とを切換える切換制御部として機能する。例えば撮影制御部１１ｇは、前記第２の状態における前記タッチパネルの出力に基づいて、前記第１の状態における前記第１の画像に処理を施す撮影制御部として機能する。例えばタッチ判定部１１ｅは、前記第２の状態において、前記タッチパネルの出力に基づいて前記第２の画像における指定領域を取得する領域取得部として機能する。例えば対応特定部１１ｆは、前記第１の画像における前記指定領域に対応する領域を特定する対応特定部として機能する。
【００５４】
背面の表示部１８ａに比較して接眼表示部３１の方が、外光の影響を受けず視認性がよい。また、接眼表示部３１を覗きながらデジタルカメラ１を構えた方が、表示部１８ａを見ながらデジタルカメラ１を構えるよりも、安定してデジタルカメラ１を構えられる。これらのため、接眼表示部３１の使用は望まれる。一方で、ユーザがファインダ部３０を覗いて被写体を観察しているときに、画像の調整等種々の動作を背面の表示部１８ａとタッチパネル１８ｂとを用いて行いたいと希望することがある。ユーザにとって、ファインダ部３０を覗きながらタッチパネル１８ｂを操作することは困難である。また、仮に表示部１８ａにライブビュー画像を表示し続ける場合、ユーザは、ファインダ部３０から眼を離し、背面の表示部１８ａを観察しようとするときに、デジタルカメラ１の位置や向きが変化しないように注意しなければならない。
【００５５】
これに対して本実施形態によれば、ファインダ部３０を覗いて被写体を観察している際に、画像の調整等を背面のタッチパネル１８ｂを用いて行いたいと考えたとき、ユーザはファインダ部３０から眼を離し、表示部１８ａを観察しながら画像の調整を行うことができる。この際、表示部１８ａには、ユーザがファインダ部３０から眼を離した際に接眼表示部３１に表示されていた画像が表示される。したがって、ユーザは、表示部１８ａを観察しタッチパネル１８ｂを操作しやすいようにデジタルカメラ１の向きを変えることができる。さらにユーザはタッチパネル１８ｂを操作して画像の調整などを行った後は、再びファインダ部３０を観察しながらの撮影に戻ることができる。この際、本実施形態では、表示部１８ａを見ながら調整を行った被写体と、再びデジタルカメラ１で取得された被写体との対応関係を取得するので、タッチパネル１８ｂを用いて操作された画像の調整を、その後の撮影に反映させることができる。
【００５６】
［第２の実施形態］
本発明の第２の実施形態について説明する。ここでは、第１の実施形態との相違点について説明し、同一の部分については、同一の符号を付してその説明を省略する。第１の実施形態では、ユーザが接眼表示部３１から目を離したとき、表示部１８ａに目を離す前の画像が表示される。これに対して、本実施形態では、例えばレリーズ操作部１９が操作されたとき、表示部１８ａにレックビュー画像を表示する。そして、このレックビュー画像に対して、第１の実施形態の場合と同様に種々の処理が行われる。したがって、本実施形態に係るデジタルカメラ１は、接眼センサ３３を有していなくてもよい。
【００５７】
本実施形態に係るデジタルカメラ１の動作を図９に示されるフローチャートを参照して説明する。ステップＳ３０１において信号処理制御部１１は、ステップＳ１０１と同様に、撮影モードであるか否かを判定する。撮影モードでないと判定されたとき、処理はステップＳ３２１に進む。ステップＳ３０１において撮影モードであると判定されたとき、処理はステップＳ３０２に進む。
【００５８】
ステップＳ３０２において信号処理制御部１１は、ステップＳ１０２と同様に、レンズ交換がされたか否かを判定する。レンズ交換がされたと判定されたとき、処理はステップＳ３０３に進む。ステップＳ３０３において信号処理制御部１１は、レンズ通信を行い、レンズ種別を取得する。その後、処理はステップＳ３０４に進む。ステップＳ３０２においてレンズ交換がされていないと判定されたとき、処理はステップＳ３０４に進む。
【００５９】
ステップＳ３０４において信号処理制御部１１は、定期的なレンズとの通信を行い、撮像動作を開始する。ステップＳ３０５において信号処理制御部１１は、レリーズ操作部１９のレリーズスイッチが押圧される等の撮影操作が行われたか否かを判定する。撮影操作が行われるまで、信号処理制御部１１は、処理を待機させる。ステップＳ３０５において撮影操作が行われたと判定されたとき、処理はステップＳ３０６に進む。
【００６０】
ステップＳ３０６において信号処理制御部１１は、撮影操作が行われたら、撮像素子１２から画像信号を取得し、レックビュー画像を作成する。信号処理制御部１１は、作成したレックビュー画像を第２の記憶部１４ｂに記憶させ、また、表示部１８ａに表示をさせる。ステップＳ３０７において信号処理制御部１１は、タッチパネル１８ｂがタッチされたか否かを判定する。タッチされていないと判定されたとき処理はステップＳ３１４に進む。ステップＳ３０７においてタッチされたと判定されたとき、処理はステップＳ３０８に進む。
【００６１】
ステップＳ３０８において信号処理制御部１１は、タッチ判定処理を行う。すなわち、信号処理制御部１１は、タッチの態様と後に行われる機能を果たす処理とを関連付ける。すなわち、例えば、以下のような対応関係が考えられる。１点がタッチされたとき、タッチされた点の追尾処理が行われる。１点がタッチされ、その後タッチされたままタッチ点が上方向にスライドされたとき、露出アップの処理が行われる。１点がタッチされ、その後タッチされたままタッチ点が下方向にスライドされたとき、露出ダウンの処理が行われる。１点がタッチされ、その後タッチされたままタッチ点が右方向にスライドされたとき、ホワイトバランスの変更の処理が行われる。１点がタッチされ、その後タッチされたままタッチ点が左方向にスライドされたとき、アートフィルタ（登録商標）の変更の処理が行われる。ここで、アートフィルタとは、例えば画像をモノクロやセピア調に変更する等のユーザが意図する画像を作成する画像変換処理のことである。１点がタッチされ、その後タッチされたままタッチ点が輪を描くようにスライドされたとき、その輪の内側がＨＤＲ処理によって露出の調整が行われる。２点がタッチされ、その後タッチされた２点の間隔が変更されるとき、その間隔の変化に応じてズーム動作が行われる。以上は一例であり、タッチされる態様は種々の態様が考えられるし、行われる処理にも種々のものが考えられ、タッチの態様と処理の内容との組み合わせも種々のものが考えられる。タッチの態様と処理の内容との組み合わせは、予め定められていてもよいし、ユーザによって設定され得るようにしてもよい。また、第１の実施形態と同様にユーザがモードを選択しても、図３に示されたような判定が行われてもよい。ここで説明したモードについては、第１の実施形態でも用いられ得る。
【００６２】
ステップＳ３０９において信号処理制御部１１は、ステップＳ３０８で得られた設定を後の処理で反映させるか否かを判定する。例えば、設定を反映させるか否かを問う表示を表示部１８ａに表示させ、例えばタッチパネル１８ｂによって入力されたユーザの指示を取得する。ステップＳ３０９において設定を反映させると判定されたとき、処理はステップＳ３１０に進む。ステップＳ３１０において信号処理制御部１１は、設定を反映させるか否かを表すフラグＦ２を１に設定する。ステップＳ３０９において設定を反映させないと判定されたとき、処理はステップＳ３１１に進む。ステップＳ３１１において信号処理制御部１１は、フラグＦ２を０に設定する。
【００６３】
ステップＳ３１２において信号処理制御部１１は、表示部１８ａに表示しているレックビュー画像を記録するか否かを判定する。例えば、画像を記録するか否かを問う表示を表示部１８ａに表示させ、例えばタッチパネル１８ｂによって入力されたユーザの指示を取得する。ステップＳ３１２において、記録すると判定されたとき、処理はステップＳ３１３に進む。ステップＳ３１３において信号処理制御部１１は、レックビュー画像を記録部１７に記録させる。その後、処理はステップＳ３１４に進む。ステップＳ３１２において記録しないと判定されたとき、処理はステップＳ３１４に進む。
【００６４】
ステップＳ３１４において信号処理制御部１１は、所定のレックビュー時間が経過したか否かを判定する。レックビュー時間が経過していないと判定されたとき、処理はステップＳ３０７に戻る。一方、レックビュー時間が経過したと判定されたとき、処理はステップＳ３２１に進む。
【００６５】
なお、ステップＳ３２１に進むのは、所定のレックビュー時間が経過したときでなく、接眼センサ３３の出力により接眼状態になったと判定されたときでもよい。また、レリーズ操作部１９や操作部１６で所定の操作が検出されたときに、ステップＳ３２１に進むようにしてもよい。
【００６６】
ステップＳ３２１において信号処理制御部１１は、表示部１８ａに表示させているレックビュー表示を消す。ステップＳ３２２において信号処理制御部１１は、フラグＦ２が１であるか否かを判定する。フラグＦ２が１でなく０であると判定されたとき、処理はステップＳ３０１に戻る。ステップＳ３２２の判定で、フラグＦ２が１であると判定されたとき、処理はステップＳ３２３に進む。ステップＳ３２３において信号処理制御部１１は、接眼表示部３１ライブビュー画像を表示させる。
【００６７】
ステップＳ３２４において信号処理制御部１１は、ステップＳ３０８のタッチ判定処理で得られた処理において、仮記憶されている画像とライブビュー画像とで特徴部が一致している必要があるか否かを判定する。例えば動体追尾やＨＤＲ処理においては、一致している必要があるが、露光調整などにおいては、一致している必要がない。ステップＳ３２４で一致している必要がないと判定されたとき、処理はステップＳ３２５に進む。ステップＳ３２５において信号処理制御部１１は、ステップＳ３０８で判定されて設定された処理を、プレビュー画像に反映させる。その後、処理はステップＳ３０１に戻る。
【００６８】
ステップＳ３２４で一致している必要があると判定されたとき、処理はステップＳ３２６に進む。ステップＳ３２６において信号処理制御部１１は、第２の記憶部１４ｂに仮記憶されているレックビュー画像を接眼表示部３１に半透明表示させる。ステップＳ３２７において信号処理制御部１１は、第２の記憶部１４ｂに仮記憶されているレックビュー画像の特徴部を、ライブビュー画像内で検索する。ステップＳ３２８において信号処理制御部１１は、仮記憶されている画像とライブビュー画像とで特徴部が一致しているか否かを判定する。特徴部が一致していると判定されたとき、処理はステップＳ３２９に進む。ここで、特徴部の一致は厳密な一致でなくても、被写体の対応関係が得られれば一致していると判定されてよい。ステップＳ３２９において信号処理制御部１１は、接眼表示部３１にＯＫ表示をさせる。ステップＳ３３０において信号処理制御部１１は、ステップＳ３０８で判定されて設定された処理を、プレビュー画像に反映させる。その後、処理はステップＳ３０１に戻る。ステップＳ３２８において特徴が一致していないと判定されたとき、処理はステップＳ３３１に進む。ステップＳ３３１において信号処理制御部１１は、接眼表示部３１にＮＧ表示をさせる。その後、処理はステップＳ３０１に戻る。
【００６９】
ステップＳ３０１において撮影モードでないと判定されたとき、処理はステップＳ３４１に進む。ステップＳ３４１において信号処理制御部１１は、再生モードであるか否かを判定する。再生モードであると判定されたとき、処理はステップＳ３４２に進む。ステップＳ３４２において信号処理制御部１１は、画像を再生し、表示部１８ａに画像を表示させる。ステップＳ３４３において信号処理制御部１１は、画像の変更が選択されたか否かを判定する。変更が選択されたと判定されたとき、処理はステップＳ３４４に進む。ステップＳ３４４において信号処理制御部１１は、表示画像を変更し他の画像を表示部１８ａに表示させる。その後、処理はステップＳ３０１に戻る。ステップＳ３４３において変更が選択されていないと判定されたとき処理はステップＳ３０１に戻る。ステップＳ３４１において再生モードが選択されていないと判定されたとき、処理はステップＳ３４５に進む。ステップＳ３４５において信号処理制御部１１は、他の端末等と通信を行う。その後処理はステップＳ３０１に戻る。
【００７０】
本実施形態によれば、例えばレリーズスイッチであるレリーズ操作部１９が押圧されたときに、表示部１８ａにレックビュー画像が表示され、この画像に対して第１の実施形態と同様の処理が行われる。その結果、第１の実施形態と同様の効果が得られる。本実施形態では、第１の実施形態の接眼センサ３３の出力に基づく場合と異なり、表示部１８ａに表示させる画像をユーザが意識的に決定できる。したがって、ユーザは、画像処理等に自己の意図を反映させやすい。
【００７１】
なお、本実施形態では、撮影動作が行われたときレックビュー表示が行われる。しかしながら、レックビュー表示が行われるのは、撮影動作に限らなくてもよい。例えば、レリーズ操作部１９の他に、操作部１６にキャプチャスイッチが設けられ、このキャプチャスイッチによってレックビュー表示が行われるようにしてもよい。
【符号の説明】
【００７２】
１…デジタルカメラ、１０…カメラ本体、１１…信号処理制御部、１１ａ…信号処理部、１１ｂ…表示制御部、１１ｃ…仮記憶画像制御部、１１ｄ…切換制御部、１１ｅ…タッチ判定部、１１ｆ…対応特定部、１１ｇ…撮影制御部、１２…撮像素子、１３…特徴判定部、１４ａ…第１の記憶部、１４ｂ…第２の記憶部、１５ｂ…ファインダ通信部、１５ａ…レンズ通信部、１６…操作部、１７…記録部、１８ａ…表示部、１８ｂ…タッチパネル、１９…レリーズ操作部、２０…レンズ、２１…制御部、２２…本体通信部、２３ａ…操作部、２３ｂ…操作部、２４ａ…駆動部、２４ｂ…駆動部、２４ｃ…駆動部、２５ａ…位置検出部、２５ｂ…位置検出部、２５ｃ…位置検出部、２６…レンズ光学系、２６ａ…ズーム部、２６ｂ…ピント部、２６ｃ…絞り部、２７…記憶部、２９…撮像部、３０…ファインダ部、３１…接眼表示部、３２…本体通信部、３３…接眼センサ。
【図１】
2014011729.tif 000003
【図２】
2014011729.tif 000004
【図３】
2014011729.tif 000005
【図４】
2014011729.tif 000006
【図５】
2014011729.tif 000007
【図６】
2014011729.tif 000008
【図７】
2014011729.tif 000009
【図８】
2014011729.tif 000010
【図９】
2014011729.tif 000011